(57)【要約】【課題】臭気の逆流を効果的に防ぐ。【解決手段】トラップ部に通ずる排出口１０を底部に有するボウル１を備え、該ボウル１の内面上部に配した吐出口１２から吐出した洗浄水をボウル１内面に沿って旋回させつつ流下させる水洗便器である。ボウル１の内面における排出口１０の入り口の上方に、洗浄水の旋回流の一部の流れの向きを変えて前記排出口１０の入り口に向けて流れ落ちる水流を形成する堰１４を設ける。【選択図】図２
2016148218.tif 000002
【特許請求の範囲】
【請求項１】
トラップ部に通ずる排出口を底部に有するボウルを備え、該ボウルの内面上部に配した吐出口から吐出した洗浄水をボウル内面に沿って旋回させつつ流下させてボウル内面を洗浄する水洗便器であって、前記ボウルの内面における前記排出口の入り口の上方に、洗浄水の旋回流の一部の流れの向きを変えて前記排出口の入り口に向けて流れ落ちる水流を形成する堰を設けていることを特徴とする水洗便器。
【発明の詳細な説明】
【技術分野】
【０００１】
本発明は、水洗便器、殊に可動トラップ型の水洗便器に関するものである。
【背景技術】
【０００２】
水洗便器として、ボウルの排出口に一端を接続したトラップ管を可撓性として、トラップケース内で前記トラップ管を上下に回動させることができるようにした可動トラップ式のものが提供されている。トラップ管の他端（下流側）を上方に向ければ、ボウル内に水を溜めた封水状態を得ることができ、トラップ管の下流端を下げれば、ボウル内の水及び排泄物をトラップケースに連結された排出管を通じて外部の下水に流すことができる。
【０００３】
このような構成の可動トラップ式の場合、ポンプ給水方式の水洗便器装置では必要不可欠であったロータンクの省略が可能となり、水洗便器の装置構成を簡略化することができる。また、排泄物の排出時には、排出の抵抗となるトラップ部分がなくなっているために、排出に必要な水量が少なくてすむ。（特許文献１）
【先行技術文献】
【特許文献】
【０００４】
【特許文献１】特開平１１−３１０９５０号公報
【発明の概要】
【発明が解決しようとする課題】
【０００５】
ところで、上記可動トラップ式のものにおいては、排泄物の排出時、ボウルの排出口と、トラップケースに連結された排出管との間が破封し、場合によっては臭気が上がってくる可能性があった。
【０００６】
本発明は上記問題に鑑みてなされたもので、臭気の逆流を効果的に防ぐことができる水洗便器を提供することを課題とする。
【課題を解決するための手段】
【０００７】
本発明にかかる水洗便器は、トラップ部に通ずる排出口を底部に有するボウルを備え、該ボウルの内面上部に配した吐出口から吐出した洗浄水をボウル内面に沿って旋回させつつ流下させてボウル内面を洗浄する水洗便器であり、前記ボウルの内面における前記排出口の入り口の上方に、洗浄水の旋回流の一部の流れの向きを変えて前記排出口の入り口に向けて流れ落ちる水流を形成する堰を設けていることに特徴を有している。
【発明の効果】
【０００８】
本発明においては、堰によって流れの向きを変えた洗浄水がボウルの排出口の入り口部分に水のカーテンを形成するために、臭気があがってくることを防ぐことができる。
【図面の簡単な説明】
【０００９】
【図１】可動トラップ型の水洗便器の一例を示すもので、Ａは封水時の断面図、Ｂは破封時の断面図である。
【図２】本発明の実施の形態の一例における一部を透視した平面図である。
【図３】同上の堰の断面図である。
【図４】図２中のＸ−Ｘ線断面図である。
【発明を実施するための形態】
【００１０】
本発明は、トラップ部に通ずる排出口を底部に有するボウルを備え、該ボウルの内面上部に配した吐出口から吐出した洗浄水をボウル内面に沿って旋回させつつ流下させてボウル内面を洗浄する水洗便器において、前記ボウルの内面における前記排出口の入り口の上方に、洗浄水の旋回流の一部の流れの向きを変えて前記排出口の入り口に向けて流れ落ちる水流を形成する堰を設け、洗浄水を流す時、排出口の入り口部分に水のカーテンを形成するものである。
【００１１】
以下、本発明を図示の実施例に基づいて詳述すると、図中１はトイレ室等の床面に載置される便器本体６の前部内に配されるボウルであり、上方に開口したボウル１の後方側にはトラップケース２が配されている。そしてボウル１の底部中央部に設けられた後方に向けて開口する排出口１０にはトラップ管３が連結されている。なお、ボウル１及びトラップケース２を内蔵する便器本体６の上部には、便座と便蓋７が回動自在に取り付けられており、その後方には、機能ケース８（局部洗浄ノズル、温風装置、脱臭装置、給水装置、加温装置や、これらを制御する制御装置等を内蔵したもの）が取り付けられている。
【００１２】
トラップケース２は、中空の箱体であり、その前壁には、前後に貫通する開口部が設けられていて、この開口部から、トラップ管３の一端である上流端開口部３０が前方に突出している。上流端開口部３０は、トラップケース２内の空気や液体が外部に流出しないようにトラップケース２に対してシール状態で固定されている。そして、トラップ管３の上流端開口部３０がボウル１の排出口１０に連通接続されている。また、トラップケース２の下壁には、上下に貫通する排出孔２１が設けられており、この排出孔２１には、外部の下水に繋がる排出管が接続される。
【００１３】
トラップ管３は、蛇腹状の可撓性を有する管状体であり、トラップケース２の側壁に配したモータ駆動の回動機構による駆動で、他端である下流端開口部３１が上下に回動する。図１Ａに示すように、トラップ管３の下流端開口部３１を上方に向けたときには、ボウル１内に水が溜まる封水状態が維持され、図１Ｂに示すようにトラップ管３の下流端開口部３１を下方に向けたときには、ボウル１内の水と排泄物、トイレットペーパーがトラップケース２の排出孔２１から排出管を経て下水へと流される。なお、上記回動機構は、モータによって駆動されるものであるが、手動によってもトラップ管３の下流端開口部３１を上下に回動させることができるものとして構成されている。ここでは回動機構の具体例は省略する。
【００１４】
通常時、前記回動機構はトラップ管３の下流端開口部３１を上方に向けた図１Ａに示す状態としている。そして、便器本体または外部に設けた排出スイッチを押せば、制御装置はボウル１内に水を供給するとともに回動機構のモータを作動させてトラップ管３の下流端開口部３１を回動させて図１Ａに示す下方を向いた状態とする。
【００１５】
所定時間が経過し、排泄物等が下流端開口部３１から排出されると、制御装置は回動機構のモータを反転動作させて、トラップ管３の下流端開口部３１を上方に向けるとともにボウル１に水を供給することで図１Ａの封水状態に戻す。
【００１６】
ここにおいて、トラップ管３を回動させることでトラップを無くして排出を行う関係上、前述のように、下水側とボウル１の排出口１０とが通ずる破封状態が生じる。もちろん、排出口１０内が常に満水状態となっていれば、このような状態には至らない。しかし、節水の観点からは、排出に必要な水量を少なくすることも便器としては重要であり、水量を少なくすれば上記破封状態が生じる可能性がある。
【００１７】
このために、ここではボウル１の排出口１０の入り口部分に水のカーテンを形成することで臭気があがってくることを防いでいる。
【００１８】
すなわち、ボウル１は、図２に示すように、平面視において、渦巻き状(spiral)となっている螺旋状（helical）の誘導路１３を備えて、この誘導路１３の傾斜によって、洗浄水の流れの方向を制御している。ちなみに図２及び図４において、ボウル１の内面に付した細線は、３次元ＣＡＤにおいて自由曲面を例えばＮＵＲＢＳ（Non-Uniform Rational B-spline）によって複数の曲面（パッチ）の集まりとして表現した場合の境界曲線を示している。この境界曲線は、鉛直方向断面が凹面となる誘導路１３とその下方側に位置する凸曲面との間の変曲点を周方向に結んだ線を含んでいる。図示の境界曲線からボウル１内面が全体として左右非対称であること、誘導路１３が螺旋状であることがわかる。
【００１９】
このような構成をボウル１が持つために、ボウル１の片側上部後方に位置させた吐出口１２から洗浄水を前方に向けて吐出した時、洗浄水は矢印で示すようにボウル１の内面に沿って旋回しながら流れ落ち、最終的に排出口１０に至る。
【００２０】
また、ボウル１の内面で且つ排出口１０の入り口となる部分の後方上部に位置する部分には、旋回流の一部を強制的に排出口１０側に向かせるための凸リブ状の堰１４を設けてある。平面視で旋回流を横切る弧状となっている凸リブ状の堰１４は、図３に示すように、高さ５ｍｍほどで、旋回流の上流側となる壁面の角度が下流側となる壁面の角度よりも急峻であり、旋回流となっている洗浄水の一部の向きを前方側へと変える。そして堰１４によって流れの向きを前方側に変えられた洗浄水は、図４に示すように、排水口１０の入り口に流れ落ちて、水のカーテンを形成する。
【００２１】
なお、堰１４にぶつかる旋回流の一部は、向きを変えることなく堰１４を乗り越えて旋回流のままで排水口１０に向かう。
【００２２】
洗浄水を流すタイミングは、トラップ管３を回動させて排泄物を排出するタイミングであり、形成された水のカーテンは、下水側からあがってくる臭気がボウル１内に入ることを防ぐことになる。洗浄水の水量の点から完全な水のカーテンを形成することができなくても、臭気が上がってくる隙間を小さくすることができるために、臭気防止の点で効果的である。
【００２３】
なお、ここでは可動トラップ型の例で示したが、排水口１０の入り口に水のカーテンを形成することは、トラップ管が固定のものにおいても、洗浄水量を少なくしようとする時に有効である。
【００２４】
また、図示例では排出口１０が後方に向けて開口していることから、堰１４もボウル１内面で且つ排出口１０の入り口よりも後方側に位置する部分に設けている。排出口１０が前方に向けて開口するボウル１の場合は、排出口１０の入り口よりも前方側に位置する部分に堰１４を設けることで、排出口１０の入り口に水のカーテンを形成する。
【符号の説明】
【００２５】
１  ボウル
３  トラップ管
６  便器本体
１０  排出口
１２  吐出口
１４  堰
【図１】
2016148218.tif 000003
【図２】
2016148218.tif 000004
【図３】
2016148218.tif 000005
【図４】
2016148218.tif 000006